(57)【特許請求の範囲】
【請求項１】
各住戸に、火災感知器、中継器、住戸用受信機及び戸外表示器を設けると共に管理人室等の中央に住棟用受信機を設けた共同住宅用火災報知システムにおいて、
少なくとも前記各住戸の火災感知器、中継器を住棟用受信機からの電源供給により動作するように接続し、前記住戸用受信機を住戸からの電源供給により動作するように接続し、また、前記住棟用受信機から引き出される地区音響制御信号線は前記中継器経由でＦＶ信号線と兼用されて前記住戸用受信機に接続され、
前記中継器は、感知器回線を介して接続した前記火災感知器の発報を検出した場合に住戸用受信機に作動信号線を介して作動信号を出力し、該作動信号出力後に前記住戸用受信機から火災確定信号線を介して火災確定信号を受信することで前記住棟用受信機に火災信号を出力する回路部を備え、
前記中継器の回路部は、
前記住戸用受信機が停電検出時に、前記火災感知器の発報通知を受けていないときは、前記住棟用受信機から前記住戸用受信機に出力される地区音響制御信号を停止し、前記戸外表示器による表示灯点滅を禁止し、
他方、この前記住戸用受信機の停電検出状態で火災感知器の発報を検出した際には、疑似地区音響制御信号を生成し、前記地区音響制御信号線を介して前記住戸用受信機に出力し、
前記住棟用受信機は、前記中継器から火災信号線を介して火災信号を受信することで、出火住戸の近隣住戸に対し前記地区音響制御線を介して地区音響制御信号及び前記音声警報信号線を介して音声警報信号を出力する回路部を備え、
前記住戸用受信機は、前記中継器から作動信号線を介して作動信号を受信することで、感知器作動メッセージを生成して自己のスピーカより出力すると共に前記戸外表示灯に表示灯制御線を介して表示灯制御信号を出力し、また、作動信号を受信して所定の遅延時間経過後に、前記中継器に火災確定信号線を介して火災確定信号を出力すると共に火災メッセージを生成して自己のスピーカ及び音声警報信号線を介して前記戸外表示器に出力し、
火災感知器の発報を検出した前記住戸用受信機の回路部は、
停電状態で、前記中継器に停電信号を出力すると共に自己のスピーカを前記音声警報信号線に切換接続して前記住棟用受信機から音声警報信号を通過可能状態とし、また、この停電状態で、前記中継器からの疑似地区音響制御信号を受けることで、前記住棟用受信機からの音声警報信号線に前記戸外表示器のスピーカを接続する音声警報信号線を切換接続して前記住棟用受信機からの音声警報信号を通過可能状態とすると共に前記戸外表示灯に表示灯制御線を介して表示灯制御信号を出力して表示灯を点滅制御し、
前記戸外表示器は、前記住戸用受信機から表示灯制御線を介して表示灯制御信号を受信することで表示灯を点滅し、前記住戸用受信機から前記音声警報信号線を介して出力される火災メッセージをスピーカから出力する回路部を備えたことを特徴とする共同住宅用火災報知システム。
【請求項２】
前記住戸用受信機の回路部は、前記中継器から作動信号を受信していない状態で、前記中継器経由で前記住棟用受信機より出力される地区音響制御信号及び音声警報信号を検出した場合に、自己のスピーカを前記音声警報信号線に切換接続して、自己のスピーカから前記住棟用受信機より出力される音声警報信号を出力する回路部を備えると伴に、前記中継器から作動信号を受信していない状態で、前記中継器経由で前記住棟用受信機より出力される地区音響制御信号のみを検出した場合に、火災メッセージを生成して自己のスピーカから出力することを特徴とする請求項１記載の共同住宅用火災報知システム。
【請求項３】
前記火災感知器が作動した場合において、当該火災感知器が設置された階又は直上階の近隣住戸の住戸用受信機は、自己のスピーカを音声警報信号線に切換接続し、前記住棟受信機から出力される音声警報信号を自己のスピーカより出力し、
一方、当該住戸用受信機は自己の音声出力回路から戸外表示器に対して音声出力を行わず、戸外表示器からの音声警報の出力を禁止することを特徴とする請求項１又は２に記載の共同住宅用火災報知システム。
【発明の詳細な説明】
【０００１】
【発明の属する技術分野】
本発明は、住戸毎に火災感知器、中継器、住戸用受信機及び戸外表示器を設けて個別監視し、中央の管理人室等に住棟用受信機を設けて集中監視する共同住宅用火災報知システムに関する。
【０００２】
【従来の技術】
従来の共同住宅用火災報知システムにあっては、住戸内に設けられた火災感知器が発報すると、住戸内に設置している住宅情報盤（住戸用受信機）から管理人室等の中央に設置された防災情報を集中監視する住棟用受信機に火災信号が送られる。火災信号を受けた住棟用受信機は、近隣住戸例えば出火階及びその直上階の各住戸の住戸用受信機に地区音響制御信号及び音声警報信号を送り、住戸用受信機やドアホン（戸外表示器）のスピーカを鳴動させる。また同時に住棟用受信機は、出火階及びその直上階に設置されている共用部スピーカを鳴動させて火災発生を報知する。
【０００３】
図５はこのような従来の共同住宅用火災報知システムの一例の構成を示すブロック図である。この図に示す共同住宅用火災報知システムには、住棟用受信機１と中継器３との間に自火報総合盤２が設けられ、自火報総合盤２は警戒区域毎に例えば各階毎に配置される。この自火報総合盤２にはリレーＢＦ，ＢＮ，スピーカ７等が設けられており、リレーＢＦ，ＢＮは住棟用受信機１からの地区音響制御信号Ｅ６で作動する。この場合、リレーＢＮの作動により、リレー接点ｂｎが閉じると、自火報総合盤２のスピーカ７に住棟用受信機１からの音声警報信号Ｅ７が供給されるようになる。またリレーＢＦの作動によりリレー接点ｂｆが閉じると、住棟用受信機１からの音声警報信号Ｅ７が自火報総合盤２を介して戸外表示器５及び共用部スピーカ６に供給されるようになり、更に自火報総合盤２、中継器３を介して住戸用受信機４にも供給されるようになる。地区音響制御信号Ｅ６は自火報総合盤２に供給されると共に自火報総合盤２から中継器３を介して住戸用受信機４と戸外表示器５に供給される。
【０００４】
中継器３には、感知器回線１１ａ，１１ｂを介して自己復旧型の火災感知器１０，１０が並列接続されており、この自己復旧型の火災感知器１０，１０は、火災による熱や煙などを検出することで、感知器回線１１ａ，１１ｂ間に発報電流を流す。この発報電流が中継器３に出力されると、中継器３内の受信回路１２の受信リレーＬが作動し、そのリレー接点ｌを閉じて感知器作動信号（以下、単に「作動信号」という）Ｅ１が住戸用受信機４に出力される。また、この受信リレーＬの作動と同時に保持リレー回路１３の保持リレーＭも作動して、そのリレー接点ｍ１，ｍ２を閉じて、火災信号の出力許容状態及び作動信号Ｅ１の保持許容状態が作り出される。
【０００５】
住戸用受信機４では、中継器３より作動信号Ｅ１が入力されると、受信回路１４の受信リレーＲが作動し、例えば１０秒間継続して作動すると、作動信号Ｅ１の受信状態が保持されると共に保持リレーＨが作動し、そのリレー接点ｈが閉じて、中継器３に対し「Ｌ」レベルとなる保持信号Ｅ２が出力される。この保持信号Ｅ２が出力されると、中継器３ではリレー接点ｆ２を介して保持回路１７が作動し、保持リレー回路１３の保持リレーＭを火災感知器１０が復旧しても非作動とならないように保持する。また保持回路１７は、同時に戸外表示器５に対する供給電圧を＋１２Ｖから電源・火災信号Ｅ８となる＋２４Ｖに変化させて火災表示を行わせる。戸外表示器５の検出回路１９は電源・火災信号Ｅ８となる＋２４Ｖを検出して表示灯２０を点滅させる。尚、戸外表示器５で火災表示させるための電源・火災信号Ｅ８を住戸用受信機４でなく中継器３から供給するようにしたのは、住戸停電時を考慮したためである。即ち、戸外表示器５用の電源を住戸用受信機４から供給するようにすると、住戸が停電した場合に住戸用受信機４から電源を供給できなくなって、火災表示させることができなくなるからである。住戸用受信機４は、中継器３より作動信号Ｅ１を入力することで、自己の音声合成部２７を起動し、火災感知器１０の作動を示すメッセージを合成し、アンプ２８で増幅した後、リレー接点ｄｃを介してスピーカ２６から出力する。
【０００６】
また、住戸用受信機４では、中継器３より作動信号Ｅ１が送られてきた時から２〜５分の範囲内の所定時間の監視が行われる。すなわち、作動信号Ｅ１が入力されると、受信リレーＲが作動すると同時に、２〜５分の遅延時間Ｔ１が設定されているタイマ１５が起動し、このタイマ１５がタイムアップすると、リレー接点ｔ１が開き、有電圧信号が遮断されることで火災確定信号Ｅ３が中継器３に出力される。住戸用受信機４は火災確定信号Ｅ３を出力する際に、音声合成部２７で火災発生を示すメッセージを合成し、アンプ２８で増幅した後、リレー接点ｄｃを介してスピーカ２６から出力する。住戸用受信機４より火災確定信号Ｅ３が出力されることで有電圧信号が遮断されると、中継器３では、フォトカプラ２１の出力が「Ｌ」レベルから「Ｈ」レベルになり、インバータ２２で「Ｌ」レベルに反転されて出力されることで、この時点で既にリレー接点ｍ２は閉じられて出力許容状態となっていることから、火災確定移報リレーＳに電流が流れ作動する。火災確定移報リレーＳが作動すると、リレー接点ｓ１が閉じて「Ｌ」レベルとなる火災信号Ｅ４が火報信号線２３を介して住棟用受信機１へ出力される。またリレー接点ｓ２が閉じて、住棟用受信機１からの確認信号Ｅ５の受信可能状態が作り出される。
【０００７】
住棟用受信機１では、中継器３からの火災信号Ｅ４を火報信号線２３を介して受けることで、火災代表表示及び地区表示が行われる。また同時に火災代表リレー（図示略）を作動すると共に、対応する地区リレー（図示略）が作動する。火災代表リレーの作動によりそのリレー接点ｆａが閉じ、中継器３に対し確認信号線２４を介して確認信号Ｅ５が出力される。住棟用受信機１より確認信号Ｅ５が出力されると、中継器３ではリレーＦが作動し、そのリレー接点ｆ１を閉じて、既に閉じているリレー接点ｍ１との直列回路により住戸用受信機４に対する作動信号Ｅ１の出力状態が継続保持される。またリレー接点ｆ２が開くことで住戸用受信機４からの保持信号Ｅ２の入力が切り離され、中継器３の保持回路１７の保持動作が住棟用受信機１からの確認信号Ｅ５により行われる。
【０００８】
更に住棟用受信機１にあっては、図示せぬ地区リレーの作動により、近隣住戸、具体的には火災発生階及びその直上階の住戸に対し地区音響制御信号Ｅ６を出力する。この火災発生階及びその直上階の住戸に対する地区音響制御信号Ｅ６は住戸用受信機４及び戸外表示器５に与えられる。この際、出火住戸以外の近隣の住戸用受信機４にあっては、地区音響制御信号Ｅ６によりフォトカプラ２５のフォトトランジスタがオンしてリレーＢが作動し、リレー接点ｂを開くことでリレーＤＣが不作動になり、そのリレー接点ｄｃが音声警報信号線９側に切り換わりスピーカ２６が接続され、音声警報信号線９からの音声警報信号Ｅ７の入力が可能となる。また、出火住戸の戸外表示器５にあっては、検出回路１９で電源・火災信号Ｅ８を検出している状態で、地区音響制御信号Ｅ６を受けることでリレーＪが作動し、このリレーＪの作動でリレー接点ｊ１，ｊ２が切り換わり、スピーカ２９が音声警報信号線９に接続され、音声警報信号Ｅ７の入力が可能となる。
【０００９】
住棟用受信機１では、地区音響制御信号Ｅ６の出力と共に音声合成部３０が起動して生成された出火場所を含む火災メッセージでなる音声信号がアンプ３１で増幅された後、音声警報信号線９に音声警報信号Ｅ７として出力される。これにより、住戸での火災の場合、出火階及びその直上階の自火報総合盤２のスピーカ７、共用部スピーカ６、出火階及びその直上階の出火住戸以外の各住戸の住戸用受信機４のスピーカ２６及び出火住戸の戸外表示器５のスピーカ２９に住棟用受信機１からの音声警報信号Ｅ７が供給され、例えば「ウーウー、火事です、火事です。１階で火災が発生しました。安全を確認して避難してください。」などの出火場所を含む火災メッセージの警報出力が行われる。
【００１０】
なお、出火住戸の住戸用受信機４にあっては、自住戸での火災であるにも関わらず出火場所を含む火災メッセージをスピーカ２６から出力するのは矛盾することにもなるので、住戸用受信機４では、作動信号Ｅ１を受信することで受信リレーＲが作動するが、その際、地区音響制御信号線９に設けられるリレー接点ｒが開くことで地区音響制御信号Ｅ６の入力を禁止させている。また、出火住戸以外の全ての戸外表示器５にあっては、一斉に音声メッセージが出力されると音声メッセージが逆に聞き取り難く、且つどの住戸が火災なのかが外部から判かり難いことから音声メッセージの出力を禁止している。
【００１１】
このように、通常時に火災感知器１０が発報すると、出火住戸では、住戸用受信機４が中継器３からの作動信号Ｅ１により自己の音源で自己のスピーカ２６から音声警報を出力し、出火住戸の戸外表示器５では、中継器３からの電源・火災信号Ｅ８を検出することで表示灯２０が点滅し、この状態で住棟用受信機１からの地区音響制御信号Ｅ６を受けることでスピーカ２９が音声警報信号線９に接続されて、住棟用受信機１からの音声警報信号Ｅ７でスピーカ２９から出火場所を含む火災メッセージが出力される。近隣住戸である出火住戸以外の出火階とその直上階の各住戸では、住戸用受信機４が住棟用受信機１からの地区音響制御信号Ｅ６でスピーカ２６が音声警報信号線９に接続されて、住棟用受信機１からの音声警報信号Ｅ７でスピーカ２６から出火場所を含む火災メッセージが出力される。近隣住戸の戸外表示器５では、中継器３からの電源・火災信号Ｅ８が出力されていないため警報動作は行われない。
【００１２】
一方、住戸において停電が発生すると、当該住戸の住戸用受信機４では、電源供給が受けられなくなることから、接点ｔ１が開放し無電圧の火災確定信号Ｅ２が出力される。中継器３は火災感知器１０の発報を検出する前にこの無電圧の火災確定信号Ｅ２を受けることで、住戸用受信機４の停電を判断すると共に、火災信号出力許容状態となる。この状態で火災感知器１０の発報を検出すると、火災信号出力許容状態にあることから、直ちに火災信号Ｅ４を出力する。中継器３から火災信号Ｅ４が出力されて、これを住棟用受信機１が受けると地区音響制御信号Ｅ６と音声警報信号Ｅ７を出力する。この際、停電住戸の住戸用受信機４のＤＣリレーが不作動のために接点ｄｃは音声警報信号線９側に切り換わっているので、住棟用受信機１から音声警報信号Ｅ７が送られて来ることでスピーカ２６から火災場所を含む火災メッセージが出力される。出火住戸の戸外表示器５では、通常時と同様に中継器３からの電源・火災信号Ｅ８を検出することで表示灯２０が点滅し、この状態で住棟用受信機１からの地区音響制御信号Ｅ６を受けることでスピーカ２９が音声警報信号線９に接続されて、住棟用受信機１からの音声警報信号Ｅ７でスピーカ２９から火災場所を含む火災メッセージが出力される。この際、近隣住戸でも停電になると、その住戸の住戸用受信機４では、ＤＣリレーが不作動になって、接点ｄｃが音声警報信号線９側に切り換わっていることから、住棟用受信機１から音声警報信号Ｅ７が送られて来ることでスピーカ２６から火災場所を含む火災メッセージが出力される。また、近隣住戸の戸外表示器５では、通常時と同様に中継器３からの電源・火災信号Ｅ８が出力されていないため、警報動作は行われない。
【００１３】
【発明が解決しようとする課題】
ところで、上述した従来の共同住宅用火災報知システムにあっては、中継器３、住戸用受信機４、戸外表示器５の間での配線が複雑であり、かつ配線数も多いことから、システム設置時やメンテナンス時に誤配線をしやすく、またシステム設置やメンテナンスに時間がかかり、人件費等の経費が嵩むという問題点があった。
即ち、住戸用受信機４では地区音響制御信号Ｅ６と音声警報信号Ｅ７が必要であるため、中継器３との間で音声警報信号線９及び地区音響制御信号線８の配線が必要であり、戸外表示器５では中継器３からの電源・火災信号Ｅ８が必要であるため（住戸停電時でも表示灯２０を点滅させる必要があるため）、中継器３との間で電源・火災信号線３３の配線が必要であり、また戸外表示器５でも地区音響制御信号Ｅ６と音声警報信号Ｅ７が必要であるため、自火報総合盤２、中継器３との間で音声警報信号線９及び地区音響制御信号線８の配線が必要であるからである。
【００１４】
そこで本発明は、従来の共同住宅用火災報知システムと使用上の動作を同等にしながらも、システムの簡略化、省配線化が図れる共同住宅用火災報知システムを提供することを目的としている。
【００１５】
【課題を解決するための手段】
上記目的達成のため、請求項１記載の発明による共同住宅用火災報知システムは、
各住戸に、火災感知器、中継器、住戸用受信機及び戸外表示器を設けると共に管理人室等の中央に住棟用受信機を設けた共同住宅用火災報知システムにおいて、
少なくとも前記各住戸の火災感知器、中継器を住棟用受信機からの電源供給により動作するように接続し、前記住戸用受信機を住戸からの電源供給により動作するように接続し、また、前記住棟用受信機から引き出される地区音響制御信号線は前記中継器経由でＦＶ信号線と兼用されて前記住戸用受信機に接続され、
前記中継器は、感知器回線を介して接続した前記火災感知器の発報を検出した場合に住戸用受信機に作動信号線を介して作動信号を出力し、該作動信号出力後に前記住戸用受信機から火災確定信号線を介して火災確定信号を受信することで前記住棟用受信機に火災信号を出力する回路部を備え、
前記中継器の回路部は、
前記住戸用受信機が停電検出時に、前記火災感知器の発報通知を受けていないときは、前記住棟用受信機から前記住戸用受信機に出力される地区音響制御信号を停止し、前記戸外表示器による表示灯点滅を禁止し、
他方、この前記住戸用受信機の停電検出状態で火災感知器の発報を検出した際には、疑似地区音響制御信号を生成し、前記地区音響制御信号線を介して前記住戸用受信機に出力し、
前記住棟用受信機は、前記中継器から火災信号線を介して火災信号を受信することで、出火住戸の近隣住戸に対し前記地区音響制御線を介して地区音響制御信号及び前記音声警報信号線を介して音声警報信号を出力する回路部を備え、
前記住戸用受信機は、前記中継器から作動信号線を介して作動信号を受信することで、感知器作動メッセージを生成して自己のスピーカより出力すると共に前記戸外表示灯に表示灯制御線を介して表示灯制御信号を出力し、また、作動信号を受信して所定の遅延時間経過後に、前記中継器に火災確定信号線を介して火災確定信号を出力すると共に火災メッセージを生成して自己のスピーカ及び音声警報信号線を介して前記戸外表示器に出力し、
火災感知器の発報を検出した前記住戸用受信機の回路部は、
停電状態で、前記中継器に停電信号を出力すると共に自己のスピーカを前記音声警報信号線に切換接続して前記住棟用受信機から音声警報信号を通過可能状態とし、また、この停電状態で、前記中継器からの疑似地区音響制御信号を受けることで、前記住棟用受信機からの音声警報信号線に前記戸外表示器のスピーカを接続する音声警報信号線を切換接続して前記住棟用受信機からの音声警報信号を通過可能状態とすると共に前記戸外表示灯に表示灯制御線を介して表示灯制御信号を出力して表示灯を点滅制御し、
前記戸外表示器は、前記住戸用受信機から表示灯制御線を介して表示灯制御信号を受信することで表示灯を点滅し、前記住戸用受信機から前記音声警報信号線を介して出力される火災メッセージをスピーカから出力する回路部を備えたことを特徴とする。
【００１６】
請求項２記載の発明による共同住宅用火災報知システムは、前記住戸用受信機の回路部は、前記中継器から作動信号を受信していない状態で、前記中継器経由で前記住棟用受信機より出力される地区音響制御信号及び音声警報信号を検出した場合に、自己のスピーカを前記音声警報信号線に切換接続して、自己のスピーカから前記住棟用受信機より出力される音声警報信号を出力する回路部を備えると伴に、前記中継器から作動信号を受信していない状態で、前記中継器経由で前記住棟用受信機より出力される地区音響制御信号のみを検出した場合に、火災メッセージを生成して自己のスピーカから出力することを特徴とする。
【００１７】
請求項３記載の発明による共同住宅用火災報知システムは、前記火災感知器が作動した場合において、当該火災感知器が設置された階又は直上階の近隣住戸の住戸用受信機は、自己のスピーカを音声警報信号線に切換接続し、前記住棟受信機から出力される音声警報信号を自己のスピーカより出力し、
一方、当該住戸用受信機は自己の音声出力回路から戸外表示器に対して音声出力を行わず、戸外表示器からの音声警報の出力を禁止することを特徴とする。
【００２０】
【発明の実施の形態】
以下、本発明の実施の形態を図面例と共に説明する。
図１は本発明に係る共同住宅用火災報知システムの実施の形態の構成を示すブロック図、図２はその詳細な構成を示すブロック図である。また、図３は中継器と住戸用受信機と戸外表示器の一部について更に詳細な構成を示すブロック図である。また、図４は実施の形態の共同住宅用火災報知システムの動作の要点を示す図である。尚、図１〜図３において、前述した図５と共通する部分には同一の符号を付けている。
この実施の形態の共同住宅用火災報知システムは、中継器５０と住棟用受信機６０との間、中継器５０と住戸用受信機７０との間及び住戸用受信機７０と戸外表示器８０との間の各間の配線のみとすることで、システムの簡略化、配線作業の効率化を図ったものである。勿論、住戸用受信機７０のスピーカ２６からの音声警報の出力、戸外表示器８０の表示灯２０（図２参照）の点灯／点滅及びスピーカ２９からの音声警報の出力等、使用上の動作は前述した従来の共同住宅用火災報知システムとほぼ同等である。以下、中継器５０、住棟用受信機６０、住戸用受信機７０、戸外表示器８０の順で夫々の構成を説明し、その後に全体の動作について説明する。
【００２１】
（ａ）中継器５０の構成
図２において、中継器５０は、感知器回路１１ａ，１１ｂを介して接続された火災感知器１０の発報を検出する発報検出回路９０と、住戸用受信機７０から火災確定信号線３３を介して出力される火災確定信号Ｅ３を検出する火災確定信号検出回路９３と、火災感知器１０の発報検出時に閉状態とする接点９４と、この接点９４に直列に介挿される発報抵抗９５と、発報検出かつ火災確定信号検出時に閉状態とする接点９６と、この接点９６に直列に介挿される住棟発報抵抗９７と、接点９６と住棟発報抵抗９７の直列回路に並列接続される住棟終端抵抗９８と、住棟用受信機６０より供給される２４Ｖを１４Ｖと３．２Ｖの電圧に降圧する定電圧回路１０１と、通常時には２４Ｖ脈流の地区音響制御信号Ｅ６を直流１４Ｖにレベル変換したＦＶ信号Ｅ９を出力し、住戸停電時火災感知器１０の発報を検出した場合に中継器内部電源（住棟用受信機６０より供給される２４Ｖを１４Ｖにレベル変換した電圧）を疑似地区音響制御信号Ｅ１０として出力するＦＶ信号出力回路１００と、発報検出回路９０及び火災確定信号検出回路９３の監視や接点９４，９６の開閉制御、住戸停電時におけるＦＶ信号Ｅ９の出力禁止制御、住戸停電時に火災感知器１０の発報を検出した場合における疑似地区音響制御信号Ｅ１０の出力制御等、中継器５０全体の監視制御を行うＣＰＵ回路９９とを備えて構成される。
【００２２】
ＣＰＵ回路９９は、発報検出回路９０にて火災感知器１０の発報が検出されていない状態で、火災確定信号検出回路９３にて火災確定信号Ｅ３（有電圧信号の遮断）が検出されると、住戸用受信機７０の停電を検出してＦＶ出力禁止信号Ｅ１１を出力する。この場合、停電住戸の住戸用受信機７０では接点１２０が開放されて無電圧の火災確定信号Ｅ３が出力される。尚、ＦＶ信号出力回路１００から出力されるＦＶ信号Ｅ９は、住棟用受信機６０から出力される２４Ｖ脈流の地区音響制御信号Ｅ６を平滑して住戸用受信機７０で利用可能な１４Ｖにレベルに変換しただけのものであり、都合上ＦＶ信号としているが、地区音響制御信号Ｅ６である。
また、ＣＰＵ回路９９は、住戸用受信機７０の停電検出状態で、発報検出回路９０から火災感知器１０の発報検出信号を受けると、住戸用受信機７０へ作動信号Ｅ１は出力せず、直ちに住棟用受信機６０へ火災信号Ｅ４を出力するよう接点９６の閉制御を行う。
【００２３】
（ｂ）住棟用受信機６０の構成
住棟用受信機６０は、２４Ｖ定電圧を生成し、中継器５０、火災感知器１０へ供給する２４Ｖ定電圧回路１１０と、中継器５０からの火災信号Ｅ４を受信し、対応する制御を行う火災受信制御回路１１１と、地区音響鳴動時に閉状態となる接点１１２と、地区音響装置を鳴動させる地区に対応して閉状態となる複数個の接点１１３１，１１３２，…  ，１１３ｎ（この図では接点１１３１のみ示している）と、火災受信制御回路１１１からの移報信号に基づいて出火場所を含む火災メッセージを生成し、音声警報信号として出力する音声警報ユニット１１４とを備えて構成されている。
複数個の区分鳴動用の接点１１３１，１１３２，…  ，１１３ｎは共同住宅の各階に対応して設けられており、それぞれから各階に向けて地区音響制御信号線ＥＡ１，ＥＡ２，…，ＥＡｎが引き出されて各階の中継器５０に接続されている。なお、この場合、各階を一区分とするものであるが、各階を例えば二区分とすると、各階毎に２個の接点１１３を対応させることになる。
【００２４】
図２に示す接点１１３１からは、１階用の地区音響制御信号線ＥＡ１が引き出されており、その地区音響制御信号線ＥＡ１に１階の各住戸に設けられる各中継器５０が接続されている。因みに接点１１３２からは２階用の地区音響制御信号線ＥＡ２が引き出されており、その地区音響制御信号線ＥＡ２に２階の各住戸に設けられる各中継器５０が接続されている。そして、例えば１階で火災が発生した時には、接点１１２及び出火階である１階とその直上階である２階に対応する接点１１３１，１１３２が閉状態となるように制御され、１階と２階の各住戸の中継器５０に地区音響制御信号線ＥＡ１，ＥＡ２を介して地区音響制御信号Ｅ６が送られる。音声警報ユニット１１４からも地区音響制御信号線ＥＡ１，ＥＡ２，…  ，ＥＡｎと同様に各階向けて音声警報信号線ＫＰ１−ＫＰＣ１，ＫＰ２−ＫＰＣ２，…  ，ＫＰｎ−ＫＰＣｎが引き出されて各階の中継器５０に接続されている。図２に示す音声警報信号線ＫＰ１−ＫＰＣ１には１階の各戸に設けられる各中継器５０が接続されている。因みにＫＰ２−ＫＰＣ２には２階の各住戸に設けられる各中継器５０が接続されている。そして、例えば１階で火災が発生した時には１階と２階の各住戸の中継器５０に音声警報信号Ｅ７が送られる。
【００２５】
（ｃ）住戸用受信機７０の構成
住戸用受信機７０は、火災確定時及び住戸停電時に開状態にして無電圧の火災確定信号Ｅ３を中継器５０に送るための接点１２０と、中継器５０から作動信号線３４を介して出力される作動信号Ｅ１を受信する火災受信回路１２１と、中継器５０から出力されるＦＶ信号Ｅ９を検出するＦＶ信号検出回路１２３と、音声警報信号を出力する音声信号出力回路１２５と、住棟用受信機６０から出力される音声警報信号Ｅ７を検出する音声信号検出回路１２６と、音声信号出力回路１２５からの音声警報信号と住棟用受信機６０からの音声警報信号Ｅ７との切り換えを行う接点１２７と、音声警報を出力するためのスピーカ２６と、戸外表示器８０の表示灯２０を点灯／点滅させるための表示灯制御信号Ｅ１２を表示灯制御線３６を介して出力する表示灯制御回路１２８（図３参照）とを備えて構成されている。火災受信回路１２１及びＦＶ信号検出回路１２３はマイコン１３０によって実現されている。また、この住戸用受信機７０では、ＦＶ信号検出回路１２３の検出時間が例えば４秒に設定されており、また音声信号検出回路１２６の検出時間が例えば３秒に設定されている。
【００２６】
中継器５０と住戸用受信機７０の一部詳細を図３を参照して説明する。
・中継器５０
この図では、地区音響制御信号Ｅ６、音声警報信号Ｅ７の通過する経路を中心に示している。ＦＶ信号出力回路１００は、住棟用受信機６０から送られる２４Ｖ脈流の地区音響制御信号Ｅ６を受けると、住戸用受信機７０で利用可能な電圧（この場合、直流１４ＶのＦＶ信号Ｅ９）に変換して出力するレベル変換回路１０１と、逆流防止用のダイオード１０２，１０３と、電源スイッチ用のトランジスタ１０４，１０５及び抵抗１０６，１０７と、アンドゲート１０８とを有して構成されている。
レベル変換回路１０１は、ＦＶ信号Ｅ９の出力を禁止する機能を有しており、住戸用受信機７０が停電になったことをＣＰＵ回路９９が検出した場合に、ＣＰＵ回路９９より出力されるＦＶ出力禁止信号Ｅ１１を受けることによってＦＶ信号Ｅ９の出力を禁止する。また住戸用受信機７０が停電になった状態で火災感知器１０の発報を検出した場合は、ＣＰＵ回路９９からＦＶ出力禁止信号Ｅ１１及び発報信号が出力され、これによりアンドゲート１０８の出力が「Ｈ」レベルになりトランジスタ１０４，１０５が順次オンする。これにより、中継器５０内部の電源１４Ｖにより疑似地区音響制御信号Ｅ１０が生成されてダイオード１０３を介して住戸用受信機７０に出力される。
【００２７】
ここで、住戸停電時にはＦＶ信号Ｅ９に代わって疑似地区音響制御信号Ｅ１０を出力する理由について説明する。
通常時（電源供給時）では、住戸用受信機７０のマイコン１３０は、火災感知器１０が発報して中継器５０から作動信号線３４を介して作動信号Ｅ１が出力されると、直ちに表示灯制御回路１２８を動作させて戸外表示器８０の表示灯２０を点滅させると共に、火災確定時に音声信号出力回路１２５を動作させて火災メッセージを生成し、戸外表示器８０のスピーカ２９へ出力させる。これに対して、住戸停電時では、住戸用受信機７０は電源供給が受けられなくなるので、自己の制御で戸外表示器８０のスピーカ２９からの音声警報出力及び戸外表示器８０の表示灯２０の点滅を行うことはできない。そこで、住戸停電時でも戸外表示器８０のスピーカ２９からの音声警報出力及び戸外表示器８０の表示灯２０の点滅を住戸用受信機７０を介して行なうことができるように、中継器５０の内部電源により疑似地区音響制御信号Ｅ１０を生成して地区音響制御信号線上に出力するようにしている。この場合、ＦＶ信号Ｅ９でも戸外表示器８０のスピーカ２９からの音声警報出力及び戸外表示器８０の表示灯２０の点滅を行なうことは可能であるが、中継器５０が火災信号Ｅ４を出力してから住棟用受信機６０より地区音響制御信号Ｅ６が送られて来るまでに僅かであるが時間的な遅れがあり、火災発報後直ちに戸外表示器８０の表示灯２０の点滅を行なうことができないこと、自住戸での火災であるにも関わらず住棟用受信機６０からの地区音響制御信号Ｅ６で戸外表示器８０の表示灯２０の点滅を行うのは不合理であることから、住戸停電時にはＦＶ信号Ｅ９に代わって中継器５０の内部電源により疑似地区音響制御信号Ｅ１０を生成して出力するようにした。また、音声警報信号線ＫＰ−ＫＰＣは中継器５０内部を通過され、住戸用受信機７０側へ引き出される。
【００２８】
・住戸用受信機７０
住戸用受信機７０内部の地区音響制御信号線経路上には、直列に接点１３１が介挿されており、またこの接点１３１より出力側にはリレーＲＹ１３２が並列に介挿されている。更にリレーＲＹ１３２より出力側には戸外表示器８０の表示灯２０を駆動する表示灯制御回路１２８が設けられている。リレーＲＹ１３１は、通電時、住戸用受信機７０に電源が供給されることで作動し、停電等で電源が供給されなくなると不作動となる。したがって、その接点１３１はリレーＲＹ１３１の作動状態でａ点側にあり、地区音響制御信号経路を開（遮断）状態とし、不作動状態でｂ点側に切り換わり、地区音響制御信号線経路を閉（接続）状態とする。
【００２９】
また、住戸用受信機７０内部の音声警報信号線経路上には、直列に且つ信号線側と接地線側の双方に切換式のリレーＲＹ１３２の接点１３２１，１３２２が介挿されており、これら接点１３２１，１３２２はリレーＲＹ１３２が不作動の間、即ち通電時にはｂ点側にあって戸外表示器８０のスピーカ２９を住戸用受信機７０の音声信号出力回路１２５に接続し、停電等によるリレーＲＹ１３１の不作動によりその接点１３１がｂ点側に切り換わった状態で、中継器５０から疑似地区音響制御信号Ｅ１０が出力されてリレーＲＹ１３２が作動することでａ点側に切り換わり、戸外表示器８０のスピーカ２９を音声警報信号線ＫＰ−ＫＰＣに接続する。住戸用受信機７０のスピーカ２６は、切換式のリレーＲＹ１２７の接点１２７１，１２７２によって音声信号出力回路１２５又は音声警報信号線ＫＰ−ＫＰＣのいずれか一方に接続される。
【００３０】
リレーＲＹ１２７は、通常時、住戸用受信機７０に電源が供給されることで作動するため、その接点１２７１，１２７２はａ点側にあり、スピーカ２６を音声信号出力回路１２５に接続する。また、リレーＲＹ１２７は住戸用受信機７０の停電時には作動せず、その接点１２７１，１２７２はｂ点側に切り換わり、スピーカ２６が音声警報信号線ＫＰ−ＫＰＣに接続される。音声信号出力回路１２５は、マイコン１３０からの起動信号、音声警報信号を出力するスピーカ２６、２９を選択する出力ポート選択信号を受けることで、起動して所定のメッセージを生成して、選択された出力ポート、即ちスピーカへ出力する。音声信号検出回路１２６は音声警報信号線ＫＰ−ＫＰＣ上の音声信号の検出を行うもので、音声信号を検出するとその旨をマイコン１３０に通知する。表示灯制御回路１２８は、通常時、戸外表示器８０の表示灯２０を点灯し、実際に火災が発生した時にはマイコン１３０からの指令によって点滅させるよう表示灯制御信号を出力する。また、停電時にはリレーＲＹ１３１が不作動になってその接点１３１がｂ点側に切り換わるが、自住戸で火災感知器１０の発報がなければ、中継器５０からは疑似地区音響制御信号Ｅ１０は出力されないので、表示灯制御回路１２８は動作せず、表示灯２０は点滅しない。この場合、住戸用受信機７０が停電すると、中継器５０のＣＰＵ回路９９からＦＶ出力禁止信号Ｅ１１が出力されるので、中継器５０のレベル変換回路１０１の出力が禁止状態になっている。
【００３１】
（Ｉ）共同住宅用火災報知システムの動作
次に、本実施の形態の共同住宅用火災報知システムの動作について説明する。なお、図４は出火住戸とその近隣住戸における通電時と停電時の、住戸用受信機７０での音声警報の出力の有無と戸外表示器８０での音声警報の出力及び表示灯２０の表示の有無を示す図である。
（１）通常時（住戸用受信機７０に電源が供給されている状態）
▲１▼出火住戸での動作
火災が発生して火災感知器１０が発報すると、その発報が中継器５０の発報検出回路９０で検出され、ＣＰＵ回路９９に通知される。ＣＰＵ回路９９は火災感知器１０が発報した通知を受けると、接点９４を閉じて作動信号Ｅ１を作動信号線３４を介して住戸用受信機７０に出力する。中継器５０より出力された作動信号Ｅ１を住戸用受信機７０の火災受信回路１２１が受けると、マイコン１３０は、表示灯制御回路１２８を動作させ、表示灯制御線３６を介して表示灯制御信号を出力させると共に、音声信号出力回路１２５を動作させて住戸用受信機７０のスピーカ２６から火災感知器作動メッセージを出力させる。戸外表示器８０の表示灯２０は、表示灯制御信号を受けることで点滅し火災を報知する。
【００３２】
また、マイコン１３０は、火災受信回路１２１が作動信号線３４を介して作動信号Ｅ１を受けることで、火災確認をするための時間例えば２〜５分が設定された遅延タイマ（図示略）を起動させる。そして、この遅延タイマの起動後の２〜５分の間に復旧スイッチ（図示略）が操作されたか否かの判定が行われ、この間に復旧スイッチが操作されなければ、遅延タイマはタイムアップされ、接点１２０を開放して中継器５０に火災確定信号線３３を介して火災確定信号Ｅ３を出力する。また同時に音声信号出力回路１２５を動作させて住戸用受信機７０のスピーカ２６から火災メッセージを出力させると共に、戸外表示器８０のスピーカ２９からもこの火災メッセージを出力させる。尚、この場合、住戸用受信機７０のリレーＲＹ１２７は電源投入時に作動するので、電源投入時にその接点１２７１，１２７２はａ点側に切り換わり、スピーカ２６が音声信号出力回路１２５に接続された状態になる。また、住戸用受信機７０のリレーＲＹ１３１も電源投入時に作動するため、その接点１３１はａ点側に切り換わって地区音響制御信号経路を開いた状態になる。また、リレーＲＹ１３２は電源投入時接点１３１がａ点側に切り換っていることで、不作動状態にあり、したがってその接点１３２１，１３２２はｂ点側にあることから戸外表示器８０のスピーカ２９は音声信号出力回路１２５に接続された状態になる。
【００３３】
住戸用受信機７０より出力された火災確定信号Ｅ３を中継器５０の火災確定信号検出回路９３が受けると、その旨をＣＰＵ回路９９に通知する。ＣＰＵ回路９９は発報検出回路９０から火災感知器１０の発報通知を受けている状態で火災確定信号Ｅ３を受信した旨の通知を受けると火災確定信号であると判断し、接点９６を閉じて火災信号Ｅ４を住棟用受信機６０に出力する。中継器５０からの火災信号Ｅ４を住棟用受信機６０の火災受信制御回路１１１が検出すると、火災信号Ｅ４を保持し、更に地区音響鳴動用の代表の接点１１２を閉制御すると共に、近隣住戸例えば出火階である１階とその直上階である２階に対応する接点１１３１，１１３２を閉じて地区音響制御信号線ＥＡ１，ＥＡ２に地区音響制御信号Ｅ６を出力する。また火災受信制御回路１１１は音声警報ユニット１１４に火災代表信号、火災地区信号、地区音響代表信号で構成される移報信号を出力する。
【００３４】
音声警報ユニット１１４は、この移報信号を受けることで、出火階である１階とその直上階である２階に対応する音声警報信号線ＫＰ１−ＫＰＣ１，ＫＰ２−ＫＰＣ２に出火場所を含む火災メッセージからなる音声警報信号Ｅ７を出力する。そして、住棟用受信機６０から出力された地区音響制御信号Ｅ６は中継器５０のＦＶ信号出力回路１００のレベル変換回路１０１で１４Ｖの直流にレベル変換されてＦＶ信号Ｅ９として住戸用受信機７０に出力される。住戸用受信機７０に出力されたＦＶ信号Ｅ９はＦＶ信号検出回路１２３で検出される。一方、音声警報信号Ｅ７は中継器５０を通過して住戸用受信機７０へ送られ、住戸用受信機７０の音声検出回路１２６で検出される。この際、出火住戸の住戸用受信機７０のマイコン１３０は既に作動信号Ｅ１を受けているので、ＦＶ信号Ｅ９及び音声警報信号Ｅ７を検出しても何もしない。すなわち、住戸用受信機７０のスピーカ２６及び戸外表示器８０のスピーカ２９から継続して火災メッセージを出力すると共に、戸外表示器８０の表示灯２０を継続して点滅させる。
【００３５】
▲２▼近隣住戸（出火階・直上階）での動作
出火住戸の住戸用受信機７０では、火災受信回路１２１が中継器５０より作動信号Ｅ１を受けているので、マイコン１３０は、ＦＶ信号Ｅ９及び音声警報信号Ｅ７が送られてきて、それらを検出しても何もせず、自己の音声信号出力回路１２５を動作させて自己のスピーカ２６及び戸外表示器８０のスピーカ２９から火災メッセージを出力させると共に、表示灯制御回路１２８を動作させて表示灯制御信号を出力させ、戸外表示器８０の表示灯２０を点滅させるが、近隣住戸の住戸用受信機７０では、火災受信回路１２１が中継器５０から作動信号Ｅ１を受けていないので、ＦＶ信号Ｅ９及び音声警報信号Ｅ７が送られてきて、ＦＶ信号Ｅ９がＦＶ信号検出回路１２３で検出され、音声警報信号Ｅ７が音声検出回路１２６で検出されると、マイコン１３０はリレーＲＹ１２７を不作動にするよう制御する。リレーＲＹ１２７が不作動になることでその接点１２７１，１２７２はｂ点側に切り換わり、スピーカ２６を音声警報信号線ＫＰ−ＫＰＣに接続する。
【００３６】
これにより、住棟用受信機６０から出力される音声警報信号Ｅ７によって近隣住戸の住戸用受信機７０のスピーカ２６から出火場所を含む火災メッセージが出力される。この際、出火住戸が１階の住戸であれば、１階に布設された音声警報信号線ＫＰ１−ＫＰＣ１と２階に布設された音声警報信号線ＫＰ２−ＫＰＣ２に住棟用受信機６０から音声警報信号Ｅ７が出力され、１階の出火住戸以外の各住戸と２階の各住戸の住戸用受信機７０のスピーカ２６から出火場所を含む火災メッセージが出力される。またこの際、マイコン１３０は音声信号出力回路１２５を動作させないので、戸外表示器８０のスピーカ２９からは音声警報は出力されない。尚、通常時にあっては、ＦＶ信号検出回路１２３及び音声信号検出回路１２６の検出時間は例えば４秒及び３秒が設定されているが、住棟用受信機６０は火災信号Ｅ４を自己保持し、４秒及び３秒よりも長い時間、地区音響制御信号Ｅ６及び音声警報信号Ｅ７を出力するため、両信号は検出される。
【００３７】
▲３▼近隣住戸以外の住戸（出火階・直上階以外）での動作
全住戸で地区音響鳴動を行わせたい場合、住棟用受信機６０は、出火階及び直上階以外の階の各住戸の住戸用受信機７０に地区音響制御信号Ｅ６のみを送ることができる。住戸用受信機７０のマイコン１３０は、この地区音響制御信号Ｅ７のみを検出すると音声信号出力回路１２５を動作させて、住戸用受信機７０のスピーカ２６から火災メッセージを出力させる。
【００３８】
（２）住戸停電時（住戸用受信機７０に電源が供給されていない状態）
▲１▼停電住戸
電源投入時にはリレーＲＹ１３１が作動してその接点１３１がａ側に切り換わるので、リレーＲＹ１３２は通常時作動しない。またリレーＲＹ１２７も電源投入時に作動して、その接点１２７１，１２７２がａ側に切り換わる。このような状態で住戸が停電になり住戸用受信機７０に電源が供給されなくなると、リレーＲＹ１２７，１３１が共に不作動となり、接点１２７１，１２７２及び接点１３１がｂ側に切り換わる。接点１２７１，１２７２がｂ側に切り換わることで住戸用受信機７０のスピーカ２６が音声警報信号線ＫＰ−ＫＰＣに接続されて、音声警報信号Ｅ８の入力可能状態となる。
【００３９】
接点１３１がｂ側に切り換わると、疑似地区音響制御信号Ｅ１０の入力可能状態となる。
住戸が停電になると、その住戸の住戸用受信機７０の接点１２０が開放されるので、中継器５０に無電圧の火災確定信号Ｅ３が出力される（即ち、有電圧信号が遮断される）。この無電圧の火災確定信号Ｅ３を火災確定信号線３３を介して中継器５０の火災確定信号検出回路９３が受けると、その旨を中継器５０のＣＰＵ回路９９に通知する。ＣＰＵ回路９９は、発報検出回路９０から火災感知器１０の発報通知を受けていない状態で火災確定信号Ｅ３を受信した旨の通知を受けると、住戸用受信機７０が停電であると判断してＦＶ出力禁止信号Ｅ１１をレベル変換回路１０１及びアンドゲート１０８へ出力する。これにより、レベル変換回路１０１の出力が禁止状態になり、住棟用受信機６０から地区音響制御信号Ｅ６が送られてきてもＦＶ信号Ｅ９は出力されなくなる。
【００４０】
▲２▼停電住戸出火
住戸用受信機７０の停電中に火災感知器１０が発報して、中継器５０の発報検出回路９０にて検出されると、中継器５０のＣＰＵ回路９９は住戸用受信機７０が停電中であることを認識しているので、直ちに接点９６を閉じて火災信号Ｅ４を出力する。また同時に「Ｈ」レベルの発報信号をアンドゲート１０８に出力する。アンドゲート１０８は、既にＦＶ出力禁止信号Ｅ１１を入力していることから発信信号を入力することで「Ｈ」レベルを出力する。これによりトランジスタ１０４，１０５が順次オンし、中継器５０の内部電源１４Ｖで生成された疑似地区音響制御信号Ｅ１０が住戸用受信機７０に出力される。この際、住戸用受信機７０ではリレーＲＹ１３１が不作動で、その接点１３１がｂ側に切り換わっているので、表示灯制御回路１２８が疑似地区音響制御信号Ｅ１０を受けることにより起動して、表示灯制御線３６を介して表示灯制御信号Ｅ１２を戸外表示器８０に出力する。これにより、戸外表示器８０の表示灯２０が点滅する。また、住戸用受信機７０では、中継器５０から疑似地区音響制御信号Ｅ１０が出力されることでリレーＲＹ１３２が作動し、その接点１３２１，１３２２がａ側に切り換わるので、戸外表示器８０のスピーカ２９が音声警報信号線ＫＰ−ＫＰＣに接続されて、音声警報信号Ｅ７の入力可能状態になる。このように、疑似地区音響制御信号Ｅ１０は、地区音響制御信号Ｅ６（ＦＶ信号Ｅ９）と、表示灯制御回路１２８への制御信号の両方を兼用する。
【００４１】
一方、中継器５０から住棟用受信機６０に火災信号Ｅ４が出力されることで、住棟用受信機６０から音声警報信号Ｅ７が出力されると、戸外表示器８０のスピーカ２９から出火場所を含む火災メッセージが出力される。また停電時、住戸用受信機７０のリレーＲＹ１２７の接点１２７１、１２７２はｂ側に切り換って住戸用受信機７０のスピーカ２６が音声警報信号線ＫＰ−ＫＰＣに接続されているので、住戸用受信機７０のスピーカ２６からも出火場所を含む火災メッセージが出力される。
【００４２】
▲３▼停電近隣住戸（出火階・直上階の住戸で、停電状態にある住戸）
停電近隣住戸では、中継器５０のＣＰＵ回路９９からＦＶ出力禁止信号Ｅ１１のみ出力されて発報信号は出力されないので、ＦＶ信号出力回路１００からは疑似地区音響制御信号Ｅ１０は出力されない。このため、住戸用受信機７０のリレーＲＹ１３１が不作動でその接点１３１がｂ側に切り替わっていても、住戸用受信機７０の表示灯制御回路１２８は動作せず、戸外表示器８０の表示灯２０は点滅しない。また、中継器５０のＦＶ信号出力回路１００から疑似地区音響制御信号Ｅ１０が出力されないことから、住戸用受信機７０のリレーＲＹ１３１の接点１３１がｂ側に切り替わっていても住戸用受信機７０のリレーＲＹ１３２は作動せず、その接点１３２１，１３２２はｂ側のままである。
また、停電時にはリレーＲＹ１２７は作動しないので、その接点１２７１，１２７２はｂ側にある。この状態で住棟用受信機６０から音声警報信号Ｅ７が出力されると、スピーカ２６からのみ出火場所を含む火災メッセージが出力される。
【００４３】
▲４▼通常近隣住戸（出火階・直上階の住戸で、通常状態にある住戸）
通常近隣住戸では、住戸用受信機７０に電源が供給されているので、リレーＲＹ１２７，１３１が共に作動しており、その接点１２７１，１２７２，接点１３１共にａ側に切り換っている。マイコン１３０は地区音響制御信号Ｅ６と音声警報信号Ｅ７を検出することで、リレーＲＹ１２７を不作動にしてその接点１２７１，１２７２をｂ側に切り換える。これにより、住戸用受信機７０のスピーカ２６が音声警報信号線ＫＰ−ＫＰＣに接続されるので、音声警報信号Ｅ７によって住戸用受信機７０のスピーカ２６から出火場所を含む火災メッセージが出力される。尚、マイコン１３０は音声信号出力回路１２５を動作させないので、戸外表示器８０のスピーカ２９から音声警報は出力されない。
【００４４】
このように、この実施の形態では、
▲１▼通常時出火住戸では、住戸用受信機７０の音声信号出力回路１２５の動作によって住戸用受信機７０のスピーカ２６及び戸外表示器８０のスピーカ２９から音声警報メッセージが出力される。また、住戸用受信機７０の表示灯制御回路１２８の動作によって戸外表示器８０の表示灯が点滅する。
▲２▼出火階・直上階の近隣住戸では、住棟用受信機６０から出力される地区音響制御信号Ｅ６及び音声警報信号Ｅ７により、住戸用受信機７０のスピーカ２６からのみ出火場所を含む火災メッセージが出力される。
【００４５】
▲３▼出火階及び直上階以外の階の各住戸では、住棟用受信機６０から出力される地区音響制御信号Ｅ６のみによって住戸用受信機７０の音声信号出力回路１２５から出力される音声警報信号により住戸用受信機７０のスピーカ２６から火災メッセージが出力される。
▲４▼停電住戸では、住戸用受信機７０から無電圧の火災確定信号Ｅ３が出力されるので、中継器５０のレベル変換回路１０の出力が禁止状態になる。また、住戸用受信機７０のリレーＲＹ１２７が不作動になってその接点１２７１，１２７２がｂ側に切り換わり、住戸用受信機７０のスピーカ２６が音声警報信号線ＫＰ−ＫＰＣに接続される。また住戸用受信機７０のリレーＲＹ１３１も不作動になり、その接点１３１がｂ側に切り換わり、中継器５０からの疑似地区音響制御信号Ｅ１０の入力可能状態となる。
【００４６】
▲５▼停電住戸で火災が発生し、火災感知器１０が発報すると、中継器５０から出力される疑似地区音響制御信号Ｅ１０によって住戸用受信機７０の表示灯制御回路１２８が動作して戸外表示器８０の表示灯２０が点滅する。また、中継器５０から出力される疑似地区音響制御信号Ｅ１０によって住戸用受信機７０のリレーＲＹ１３２が作動してその接点１３２１，１３２２がａ側に切り換わり、住棟用受信機６０から出力される音声警報信号Ｅ７によって戸外表示器８０のスピーカ２９から出火場所を含む火災メッセージが出力される。また、住戸用受信機７０のリレーＲＹ１２７の接点１２７１，１２７２がｂ側に切り換っているので、住戸用受信機７０のスピーカ２６からも住棟用受信機６０から出力される音声警報信号Ｅ７によって出火場所を含む火災メッセージが出力される。
▲６▼停電になった近隣住戸では、住棟用受信機６０から出力される音声警報信号Ｅ８により住戸用受信機７０のスピーカ２６からのみ出火場所を含む火災メッセージが出力される。
▲７▼通常状態にある近隣住戸では、住棟用受信機６０から出力される地区音響制御信号Ｅ６及び音声警報信号Ｅ７により住戸用受信機７０のスピーカ２６からのみ出火場所を含む火災メッセージが出力される。
【００４７】
このように、本発明の構成によれば、システムの簡略化、省線化を図りながらも、従来の共同住宅用火災報知システムと使用上、ほぼ同等の動作が得られる。本実施の形態は、住棟用受信機６０と中継器５０との間、中継器５０と住戸用受信機７０との間、住戸用受信機７０と戸外表示器８０との間の各間でのみ配線を行うだけで済むのに対し、従来は更に中継器３と戸外表示器５との間、自火報総合盤２と戸外表示器５との間の各間を配線しなければならない。
したがって、本実施の形態では、誤配線を低減できると共に、システム設置やメンテナンスに要する作業時間の短縮化が図れるので、人件費等の経費を削減できる。
【００４８】
尚、この実施の形態では、図５に示した自火報総合盤２を有していないが、自火報総合盤２を設けた場合でもそのスピーカ７（図５参照）からは音声警報が出力されることは言うまでもない。
また、この実施の形態では、住棟用受信機６０からの地区音響制御信号Ｅ６を中継器５０のレベル変換回路１０１で平滑定電圧化してＦＶ信号Ｅ９として出力したが、そのまま地区音響制御信号Ｅ６を出力しても良い。
【００４９】
【発明の効果】
以上説明したように本発明によれば、使用上の動作を従来の共同住宅用火災報知システムと使用上の動作をほぼ同等にしながらもシステムの簡略化、省線化が図れるので、誤配線を低減できると共に、システム設置やメンテナンスに要する作業時間の短縮化が図れるので、人件費等の経費を削減できる。
【図面の簡単な説明】
【図１】本発明に係る共同住宅用火災報知システムの実施の形態の構成を示すブロック図である。
【図２】実施の形態の共同住宅用火災報知システムの詳細な構成を示すブロック図である。
【図３】実施の形態の共同住宅用火災報知システムの中継器、住戸用受信機及び戸外表示器の一部の詳細な構成を示すブロック図である。
【図４】実施の形態の共同住宅用火災報知システムの動作の要点を示す図である。
【図５】従来の共同住宅用火災報知システムの構成を示すブロック図である。
【符号の説明】
１０  火災感知器
２０  表示灯
２６、２９  スピーカ
３３  火災確定信号線
３４  作動信号線
３６  表示灯制御線
５０  中継器
６０  住棟用受信機
７０  住戸用受信機
８０  戸外表示器
９０  発報検出回路
９３  火災確定信号検出回路
９９  ＣＰＵ回路
１００  ＦＶ信号出力回路
１０１  レベル変換回路
１０２，１０３  ダイオード
１０４，１０５  トランジスタ
１０６，１０７  抵抗
１０８  アンドゲート
１１１  火災受信制御回路
１１４  音声警報ユニット
１２０  接点
１２１  火災受信回路
１２３  ＦＶ信号検出回路
１２５  音声信号出力回路
１２６  音声検出回路
１２８  表示灯制御回路
１３０  マイコン
ＲＹ１２７，ＲＹ１３１，ＲＹ１３２  リレー
ＥＡ  地区音響制御信号線
ＫＰ−ＫＰＣ  音声警報信号線
【図１】
0003581026.tif 000002
【図２】
0003581026.tif 000003
【図３】
0003581026.tif 000004
【図４】
0003581026.tif 000005
【図５】
0003581026.tif 000006